(57)【特許請求の範囲】
【請求項１】
プリンタのケース本体に互いに独立して個別に形成され、２種以上のメモリカードがそれぞれ個々に差し込まれる２つ以上の差込口と、
前記各差込口の内部にそれぞれ設けられ、当該差込口の所定位置まで差し込まれた前記メモリカードの接続端子に対し接触して互いに電気的接続する入出力端子と、
前記各差込口にそれぞれ差し込まれた前記各メモリカードのうちの前記所定位置まで差し込まれた何れか１つの前記メモリカードの接続端子のみを択一的に前記入出力端子に接触させるように作動するカード挿脱機構とを備え、
前記カード挿脱機構が、
前記各差込口の各々の底部に対し前記メモリカードの挿脱方向に向け貫通して摺動自在にそれぞれ配設され、前記差込口の内方側の先端に前記メモリカードを支持する支持部が設けられた２つ以上のカード保持部材と、
前記所定位置まで差し込まれた何れか一つの前記メモリカードによって前記支持部を介し対応する前記カード保持部材が前記差入口の外方側へ向け後退移動されることにより、他の前記メモリカードが差し込まれている他の前記各差込口に配設された他の前記各カード保持部材を前記差入口の内方側へ向け前進移動させて、他の当該カード保持部材の各々の前記支持部に支持されている他の前記メモリカードを前記接続端子が前記入出力端子に対し非接触状態となる位置まで離間させる作動機構部とを有していることを特徴とするメモリカードの挿脱装置。
【請求項２】
一対の前記差込口が前記メモリカードの挿脱方向が互いに平行となる配置で設けられ、 前記作動機構部は、前記ケース本体に中央部が回動自在に支持された挺子部材を有し、当該挺子部材の両端部がそれぞれ一対の前記カード保持部材における各々の前記差込口の外方側の先端部に回動自在に連結されてなり、一対のうちの一方の前記カード保持部材が、これが支持している前記メモリカードの前記所定位置への差し込み操作によって前記差入口の外方側へ向け後退移動されたときに、前記一方のカード保持部材の後退移動を受けて回動する前記挺子部材が他方の前記カード保持部材を前記差入口の内方側へ向け前進移動させることにより、前記メモリカードをこれの接続端子が前記入出力端子に対し非接触となる位置まで移動されるように構成されていることを特徴とする請求項１に記載のメモリカードの挿脱装置。
【請求項３】
前記作動機構部が、
複数の前記各差込口の所定位置まで差し入れられた前記メモリカードを個々に検出して検出信号を出力する複数の検出手段と、
前記各差込口にそれぞれ配設された前記各カード保持部材を当該差込口に対し個々に内外方向へ進退移動させるように駆動する複数の駆動手段と、
何れか１つの前記検出手段から検出信号が入力したときに、当該検出信号を出力した前記検出手段以外の全ての前記検出手段に対応する前記各差込口に配設された他の前記各駆動手段に対して、当該各駆動手段にそれぞれ対応する前記各カード保持部材を前記メモリカードの接続端子が前記入出力端子に対し離間して非接触となる位置まで前進移動させるように制御する制御部とを備えてなることを特徴とする請求項１に記載のメモリカードの挿脱装置。
【請求項４】
前記各差込口が、これらの開口部から略中央部までの範囲の横幅が差し入れられる前記メモリカードの差し入れ方向の横断面長さよりも若干大きい幅広部と、前記略中央部から横幅が漸次小さくなって底部で前記メモリカードの前記横断面長さに等しくなる幅狭部とを有し、前記開口部から差し入れられた前記メモリカードが、前記略中央部まで達した時点で前記幅狭部により挿入を阻止されて一時的に保持され、この状態から前記メモリカードに差し入れ方向に向けたさらに強い力が加えられることにより、当該メモリカードが前記差込口の底部に当接する前記所定位置まで強制的に差し込まれる形状に形成されていることを特徴とする請求項１ないし３の何れかに記載のメモリカードの挿脱装置。
【発明の詳細な説明】
【０００１】
【発明の属する技術分野】
本発明は、ディジタルカメラ等の情報を記憶しフォトプリンタに差し込まれて使用されるメモリカードの挿脱装置に関する。
【０００２】
【従来の技術】
情報記録媒体として用いられるメモリカードを情報処理機器に挿脱する装置の一例として、電子スチルカメラ等に備えられた記録再生装置のメモリカード取出機構が知られている（実用新案登録公報第２５４６８５９号公報参照）。
このメモリカード取出機構は、板状のホルダー、ばね部材、湾曲形成部、取出ノブおよび梃子アーム等により構成されている。
そして、取出ノブの押圧操作により梃子アームが軸支部を支点に旋回し、湾曲形成部の当接部を押動するようになっている。
このため、ホルダーがその係合部でメモリカードを係止しながら排出方向に移動する。また、梃子アームの旋回過程では、湾曲形成部に対する当接部が連続的に変わるため、この梃子アームのてこ比が大から小に向かって徐々に変化する。
この結果、取出ノブに一定の押圧操作力を加えた場合でも、押し出し初段階で強い押出力がメモリカードに加わり、それ以後、この押出力は徐々に減少する。
また、メモリカードは、押し出し初段階で移動が少なく、それ以後は徐々に移動量が大きくなって所定位置まで押し出される。
これにより、メモリカードの取り出しが確実で、取出ノブの操作ストロークに比較して充分長いメモリカードの移動距離を得ることができるというものである。
【０００３】
また、２種のカード状媒体を挿脱する装置として、カード状媒体の排出機構が知られている（実開平８−２２１５２２号公報参照）。
このものは、パソコン等のリード／ライト装置に配設され、２つのカード状媒体（ＩＣカード）を個別に収納する収納部に、１対の排出レバー、１対の押動プレートおよび１対の回転手段を設けている。また、この回転手段には、１対の押動プレートの何れかと選択的に係合可能な駆動部材が備えられている。
そして、この駆動部材の回転方向により、２つのＩＣカードの何れかを選択的に排出可能になっている。
すなわち、駆動部材は、最初の半回転で第２押動プレートを移動させることにより排出レバーを揺動させる。すると、この排出レバーの操作端部が第２のカードを押動して装置外に排出させるものである。
この際、駆動部材は、残り半回転で第１押動プレートの屈曲部分を押し退けるように外方に揺動させるため、最初の位置に復帰することになる。
なお、駆動部材を逆に回転させると、第２のカードの場合と同様の手順で第１押動プレートを移動させ、第１のカードを装置外に排出することができる。
【０００４】
【発明が解決しょうとする課題】
ところで、前者のメモリカード取出機構は、電子スチルカメラからメモリカードを取り出し易くすることを目的とし、後者のカード状媒体の排出機構についても、カードの抜き取り作業を容易にすることにあり、このように取り出したカードをフォトプリンタ等の差込口に差し込んで使用する際の問題を解消し得るものではなかった。
すなわち、フォトプリンタは、ケース本体にコンパクト・フラッシュカード（ＣＦＣ）用と、このＣＦＣよりも小サイズのスマート・メディア用の差込口が形成されている。そして、各差込口内には、対応するメモリカードの端子と接触可能な入出力端子が設けられている。
これら差込口は、ＣＦＣまたはスマート・メディアが所定位置まで差し込まれると、その差込口内の入出力端子に、対応するメモリカードの端子が接触し、記録情報の読み取りが可能となる。
【０００５】
ところが、２つの差込口に前記２種のメモリカードが差し込まれた状態では、通常、ＣＦＣの情報が優先して読み取られる構成になっているので、ユーザーがスマート・メディアの情報を先に印字したいと思ってもできず、その場合にはＣＦＣを取り出すか、予め差し込まないようにする必要があった。
このような不具合を回避するためには、ユーザーがこのフォトプリンタの特徴を覚えなければならず、取り扱いに慣れるまでに相当の時間を要していた。
【０００６】
本発明は、上記課題に鑑みて創案されたもので、複数の差込口に各種メモリカードが差し込まれて判別し難い場合でも、所望のメモリカードを混同することなく簡便に使用できるメモリカードの挿脱装置を提供することを目的としている。
【０００７】
【課題を解決するための手段】
上記目的を達成するため、本発明のうちの請求項１に記載の発明は、プリンタのケース本体に互いに独立して個別に形成され、２種以上のメモリカードがそれぞれ個々に差し込まれる２つ以上の差込口と、前記各差込口の内部にそれぞれ設けられ、当該差込口の所定位置まで差し込まれた前記メモリカードの接続端子に対し接触して互いに電気的接続する入出力端子と、前記各差込口にそれぞれ差し込まれた前記各メモリカードのうちの前記所定位置まで差し込まれた何れか１つの前記メモリカードの接続端子のみを択一的に前記入出力端子に接触させるように作動するカード挿脱機構とを備え、前記カード挿脱機構が、前記各差込口の各々の底部に対し前記メモリカードの挿脱方向に向け貫通して摺動自在にそれぞれ配設され、前記差込口の内方側の先端に前記メモリカードを支持する支持部が設けられた２つ以上のカード保持部材と、前記所定位置まで差し込まれた何れか一つの前記メモリカードによって前記支持部を介し対応する前記カード保持部材が前記差入口の外方側へ向け後退移動されることにより、他の前記メモリカードが差し込まれている他の前記各差込口に配設された他の前記各カード保持部材を前記差入口の内方側へ向け前進移動させて、他の当該カード保持部材の各々の前記支持部に支持されている他の前記メモリカードを前記接続端子が前記入出力端子に対し非接触状態となる位置まで離間させる作動機構部とを有していることをを特徴としている。また、請求項２に記載の発明は、一対の前記差込口が前記メモリカードの挿脱方向が互いに平行となる配置で設けられ、請求項１に記載の前記作動機構部が、前記ケース本体に中央部が回動自在に支持された挺子部材を有し、当該挺子部材の両端部がそれぞれ一対の前記カード保持部材における各々の前記差込口の外方側の先端部に回動自在に連結されてなり、一対のうちの一方の前記カード保持部材が、これが支持している前記メモリカードの前記所定位置への差し込み操作によって前記差入口の外方側へ向け後退移動されたときに、前記一方のカード保持部材の後退移動を受けて回動する前記挺子部材が他方の前記カード保持部材を前記差入口の内方側へ向け前進移動させることにより、前記メモリカードをこれの接続端子が前記入出力端子に対し非接触となる位置まで移動されるように構成されていることを特徴としている。また、請求項３に記載の発明は、請求項１に記載の前記作動機構部が、複数の前記各差込口の所定位置まで差し入れられた前記メモリカードを個々に検出して検出信号を出力する複数の検出手段と、前記各差込口にそれぞれ配設された前記各カード保持部材を当該差込口に対し個々に内外方向へ進退移動させるように駆動する複数の駆動手段と、何れか１つの前記検出手段から検出信号が入力したときに、当該検出信号を出力した前記検出手段以外の全ての前記検出手段に対応する前記各差込口に配設された他の前記各駆動手段に対して、当該各駆動手段にそれぞれ対応する前記各カード保持部材を前記メモリカードの接続端子が前記入出力端子に対し離間して非接触となる位置まで前進移動させるように制御する制御部とを備えてなることを特徴としている。また、請求項４に記載の発明は、請求項１ないし４の何れかに記載の発明において、前記各差込口が、これらの開口部から略中央部までの範囲の横幅が差し入れられる前記メモリカードの差し入れ方向の横断面長さよりも若干大きい幅広部と、前記略中央部から横幅が漸次小さくなって底部で前記メモリカードの前記横断面長さに等しくなる幅狭部とを有し、前記開口部から差し入れられた前記メモリカードが、前記略中央部まで達した時点で前記幅狭部により挿入を阻止されて一時的に保持され、この状態から前記メモリカードに差し入れ方向に向けたさらに強い力が加えられることにより、当該メモリカードが前記差込口の底部に当接する前記所定位置まで強制的に差し込まれる形状に形成されていることを特徴としている。
【０００８】
【発明の実施の形態】
以下、本発明の実施の形態について、図示例を参照しながら説明する。
図１は、本発明の実施の形態に係るプリンタの外観を示す斜視図である。
このプリンタは、一般普及型のフォトプリンタ１であって、プリンタ本体２の上面２ａ左側に２種のカード差込口３，４を形成している。
一方のカード差込口３は、口径の大きいコンパクト・フラッシュカード（ＣＦＣ）８用であり、他方のカード差込口４は、前記カード差込口３よりも口径の小さいスマート・メディアカード（以下、ＳＭＣと略称する）９用である。
５は上面２ａ右側に設けた操作部であり、印刷用のスタートキー５ａやストップキー５ｂおよび液晶の表示部５ｃを配設している。６は、印刷された用紙７を排出する用紙排出口である。
【０００９】
図２は、メモリカードの挿脱装置を一部断面で示す概要構成図である。
このメモリカードの挿脱装置１０は、前記カード差込口３，４にそれぞれ配設された１対のカード保持部材１１，１２と、これらを連結する梃子部材１３とを備えたカード挿脱機構により構成されている。
カード差込口３は、開口部３ａから略中央までをＣＦＣ８の横断面よりも若干大きく形成し、略中央より内奥の底部３ｂに至るまでの横幅を漸次ＣＦＣ８の横幅に等しくして幅狭部を設けている。
これにより、カード差込口３にＣＦＣ８が差し込まれると、幅狭部にＣＦＣ８が一時的に保持され、さらに強く押し込まれたときにこのＣＦＣ８の底面８ｂが底部３ｂに達して接する。
この底部３ｂには、図３の右側に示す如くＣＦＣ８の底面８ｂに設けられた複数の端子８ｃに対応して、図４の右側に示すように、複数の入出力端子３ｃが配設されている。
また、この入出力端子３ｃの間において、底部３ｂの長さ方向に延びる細幅のガイド溝３ｄが形成されており、このガイド溝３ｄに一方のカード保持部材１１の上端部１１ａが収容されるようになっている（図２参照）。
【００１０】
カード差込口４も、開口部４ａから略中央までをＳＭＣ９の横断面よりも若干大きく形成し、略中央より内奥の底部４ｂに至るまでの横幅を漸次ＳＭＣ９の横幅に等しくして幅狭部を設けている。
これにより、カード差込口４にＳＭＣ９が差し込まれると、幅狭部にＳＭＣ９が一時的に保持され、さらに強く押し込まれたときにこのＳＭＣ９の底面９ｂが底部４ｂに達して接する。
この底部４ｂには、図３の左側に示す如くＳＭＣ９の一側面９ｄに設けられた複数の端子９ｃに対応して、図４の左側に示すように、一側壁４ｄには複数の入出力端子４ｃが配設されている。
また、底部４ｂの長さ方向に延びる細幅のガイド溝４ｅが形成されており、このガイド溝４ｅに他方のカード保持部材１２の上端部１２ａを収容可能となっている（図２参照）。
【００１１】
一方のカード保持部材１１は略Ｔ字状で、強度に優れた絶縁性の薄板からなり、下端部１１ｂに軸孔が形成されている。このカード保持部材１１は、前記ガイド溝３ｄの中央に開設されたガイド孔に挿入すると、上端部１１ａがガイド溝３ｄ内に収納され、下端部１１ｂ側がカード差込口３から下方に突出する状態で保持される。
他方のカード保持部材１２も略Ｔ字状で、同一材料からなり、下端部１２ｂに軸孔が形成されている。このカード保持部材１２も、ガイド溝４ｅの中央に開設されたガイド孔に挿入すると、上端部１２ａがガイド溝４ｅ内に収納され、下端部１２ｂ側がカード差込口４から下方に突出する状態で保持される。
梃子部材１３は、強度に優れた細長の板状部材からなり、前記１対のカード保持部材１１，１２を連結可能な長さを有している。そして、両端と中央に軸孔を形成してあり、一端の軸孔に一方のカード保持部材１１の軸孔を、他端の軸孔に他方のカード保持部材１２の軸孔をそれぞれ重ねて連結ピン１４により連結している。
【００１２】
また、中央の軸孔にシャフト１５を挿通し、このシャフト１５のネジ部をプリンタ本体２に形成したネジ孔に螺入することにより、梃子部材１３を回動自在に支持している。このように梃子部材１３で１対のカード保持部材１１，１２が連結されると、このカード保持部材１１，１２がシーソーのように上下動自在となる。
なお、この上下動の範囲は、カード差込口３または４に、ＣＦＣ８もしくはＳＭＣ９が差し込まれたとき、各カードの端子８ｃ，９ｃが対応する入出力端子３ｃ，４ｃに接触しない幅狭部で保持し、何れか一方がさらに押し込まれたきにその端子が対応する入出力端子に接触可能な設定としている。
【００１３】
上記構成により、ユーザーがＣＦＣ８およびＳＭＣ９をフォトプリンタ１で使用する場合、プリンタ本体２のカード差込口３にＣＦＣ８を、カード差込口４にＳＭＣ９をそれぞれ差し込む。
すると、各差込口３，４内の幅狭部にて下動が留められ、一方のカード保持部材１１の上端部１１ａにＣＦＣ８の底面８ｂが、他方のカード保持部材１２の上端部１２ａにＳＭＣ９の底面９ｂがそれぞれ載置される。
従って、ＣＦＣ８およびＳＭＣ９の端子８ｃ，９ｃが対応する入出力端子３ｃ，４ｃに接触しない状態に保持される。
ここで、ユーザーがＳＭＣ９を使用したい場合、図２の仮想線９Ａに示す如くカード差込口４の開口部４ａから露出した上部側９ａを押し込むと、他方のカード保持部材１２とともにＳＭＣ９が下動して一側面９ｄの端子９ｃが一側壁４ｄの入出力端子４ｃに接触する。
このとき、ガイド溝４ｅ内にカード保持部材１２の上端部１２ａが収容されるので、ＳＭＣ９の底面９ｂがカード差込口４の底部４ｄに支障なく接し、ＳＭＣ９が収納保持される。
【００１４】
このＳＭＣ９の押し込み時、他方のカード保持部材１１が下動するので、梃子部材１３が反時計方向に回動し、一方のカード保持部材１２が上動するから、ＣＦＣ８が図２の実線８Ａに示す位置まで押し上げられる。
よって、底面８ｂの端子８ｃが底部３ｂの入出力端子３ｃに接触することなく、カード差込口３内にＣＦＣ８が収納保持される。
この状態では、ＳＭＣ９側の端子９ｃのみが入出力端子４ｃに接触しているから、図示省略した制御部とＳＭＣ９とが電気的に接続される。
これにより、ユーザーが図１に示すスタートキー５ａを押圧操作すると、制御部がＳＭＣ９にアクセスし、そのデータを印刷処理部に送出して専用の用紙７に画像等を印刷させる。
【００１５】
なお、ユーザーが、ＣＦＣ８を使用したい場合は、このＣＦＣ８を押し込むと、前述とは逆に一方のカード保持部材１１とともに、ＣＦＣ８が図２の仮想線８Ａの位置まで下動し、底面８ｂの端子８ｃが底部３ｂの入出力端子３ｃに接触する。
このとき、梃子部材１３が時計方向に回動し、他方のカード保持部材１２が上動するため、ＳＭＣ９が図２の仮想線９Ａの位置まで押し上げられ、一側面９ｄの端子９ｃが一側壁４ｄの入出力端子４ｃから離間して非接触になる。
よって、ＣＦＣ８側の端子８ｃのみが入出力端子３ｃに接触しているから、制御部とＣＦＣ８とが電気的に接続されている。
これにより、ユーザーがスタートキー５ａを押圧操作すると、制御部がＣＦＣ８にアクセスし、そのデータを印刷処理部に送出して専用の用紙７に画像を印刷させる。
このように、形状のよく似たカード差込口１１，１２に２種のメモリカード８，９が差し込まれていて判別し難い場合でも、必要なメモリカードのみ簡便に使用することができる。
【００１６】
図５は、他の実施の形態に係るメモリカードの挿脱装置を示す概要構成図である。
このメモリカードの挿脱装置２０は、プリンタ本体２内にセンサ２３，２４や駆動手段２５，２６等を設けたもので、基本的構成が図２に示した挿脱装置１０と略同一であり、同一部分の詳細な説明は省略する。
センサ２３，２４としては、リミット式スイッチが用いられ、カード差込口３および４の底部３ｂ，４ｂ側にそれぞれ配設されている。そして、各センサ２３，２４の出力が制御部３１に接続されている。
このセンサ２３，２４は、本体内にスイッチを内蔵し、本体から水平方向に突出し進退自在の検出ロッド２３ａ，２４ａをそれぞれ設けている。
この検出ロッド２３ａ，２４ａは、先端に物体（本例では、メモリカード８，９）が接したとき本体内に入り込んでスイッチの可動接点を固定接点に接触させ、メモリカードが除かれると再び本体から突出して接点相互を非接触にする。
このセンサ２３，２４は、スイッチの可動接点が固定接点に接触してオン動作したとき、メモリカードＣＦＣ８またはＳＭＣ９の挿入を示す検出信号を出力する。
【００１７】
駆動手段は、カム付きのモータ２５，２６、モータ駆動部２９，３０からなり、各カード保持部材２１，２２側にそれぞれ配設されている。
なお、これらカード保持部材２１，２２は、各下端を直角方向に延出してフック部２１ｂ，２２ｂを形成してあり、各フック部２１ｂ，２２ｂの先端下面を斜めにしてレバー部２７ａ，２８ａの摺動面としている。
モータ２５，２６は、各シャフト２５ａ，２６ａにカム２７，２８が固着されている。これらモータ２５，２６は、カム２７，２８の外周に形成したレバー部２７ａ，２８ａが前記カード保持部材２１，２２の各フック部２１ｂ，２２ｂに接触する状態が規準位置となるように、プリンタ本体２内に固定されている。
この両モータ２５，２６は、モータ駆動部２９，３０にそれぞれ接続され、これらモータ駆動部２９，３０に制御部３１の出力が導かれている。
この制御部３１は、何れか一方のセンサ２３，２４から検出信号が送出されてくると、そのセンサとは反対側のモータ駆動部に制御信号を与えてモータ２５または２６のシャフト２５ａ，２６ａを正方向に一回転させ、カード保持部材２１，２２のフック部２１ｂもしくは２２ｂに、カム２７，２８のレバー部２７ａ，２８ａが再び接触する規準位置で停止させるようになっている。
なお、カム２７，２８が正方向にほぼ１／４回転するとき、このカム２７，２８のレバー部２７ａ，２８ａで各カード保持部材２１，２２を上動可能になっている。
【００１８】
上記構成により、各カード差込口３，４に保持されたメモリカード８，９のうち、ユーザーがＳＭＣ９を使用する場合、カード差込口４から露出した上部側９ａを押し込む。
すると、ＳＭＣ９が、図５の仮想線９Ａの位置から実線位置に下動して、その下端がセンサ２４の検出ロッド２４ａに接した後、一側面９ｄの端子９ｃが一側壁４ｄの入出力端子４ｃに接触する。
また、検出ロッド２４ａの移動によりセンサ２４のスイッチがオン動作すると、検出信号が制御部３１に送出される。この制御部３１は、モータ駆動部２９側に制御信号を出力するため、モータ２５が正回転し始める。
このモータ２５が回転するに伴って、カム２７のレバー部２７ａがカード保持部材２１のフック部２１ｂを押し上げるため、一方のカード保持部材２１が上動し、ＣＦＣ８が図５の仮想線８Ａの位置から実線位置まで上動する。
【００１９】
この際、モータ２５は正方向に回転し続けるので、レバー部２７ａがフック部２１ｂから外れるが、一方のカード差込口３内の幅狭部にＣＦＣ８が保持されるため、下方に移動することはなく、端子８ｃと入出力端子３ｃとが非接触に保たれる。
そして、モータ２５はカム２７が正方向に一回転して規準位置に戻ったときに停止する。
なお、ＳＭＣ９の端子９ｃがカード差込口４の入出力端子４ｃに接触した時点でＳＭＣ９と制御部３１とが電気的に接続されるため、ユーザーがＳＭＣ９を押し込んだ後、スタートキー５ａを押圧操作すると、ＳＭＣ９の記録情報が読み出されて、専用の用紙７に印刷される。
【００２０】
ところで、ユーザーが、ＣＦＣ８を使用したい場合は、このＣＦＣ８を押し込むと、前述とは逆に一方のカード保持部材１１とともにＣＦＣ８が図５の仮想線８Ａの位置まで下動し、その下端がセンサ２３の検出ロッド２３ａに接した後、底面３ｂの端子３ｃが底部８ｂの入出力端子８ｃに接触する。
検出ロッド２３ａの移動によりセンサ２３のスイッチがオン動作すると、検出信号が制御部３１に送出されるため、モータ２５が正回転し始める。
このモータ２５が回転するに伴って、他方のカード保持部材２２が上動し、ＳＭＣ９が図５の実線位置から仮想線９Ａの位置まで上動する。
この際、他方のカード差込口４内の幅狭部にＳＭＣ９が保持され、下方には移動しないから、端子９ｃと入出力端子４ｃとは非接触に保たれる。
なお、ＣＦＣ８の端子８ｃがカード差込口３の入出力端子３ｃに接触した時点でＣＦＣ８と制御部３１とが電気的に接続されるため、ユーザーがＣＦＣ８を押し込んだ後、スタートキー５ａを押圧操作すると、前述の如くＣＦＣ８の記録情報が読み出されて、専用の用紙７に印刷される。
よって、このメモリカードの挿脱装置２０においても、必要なメモリカードのみ簡便に使用することができる。
【００２１】
なお、上記実施の形態においては、カード差込口３にＣＦＣ８を、カード差込口４にはＳＭＣ９を差し込んで使用する場合について説明したが、このような２種のメモリカードに限らず、２つ以上のカード差込口を設けてそれに対応したメモリカードのカード挿脱機構を配設することにより、２枚以上の多種のメモリカードを使用することもできる。具体的には、図１〜図４に係る一実施の形態を採用する場合、互いに略平行な一対のカード差込口３，４に配設された一対のカード保持部材を挺子部材１３で互いに連結した作動機構部を複数設けることにより、２枚以上の偶数のメモリカードを使用することができる。一方、図５の他の実施の形態を採用する場合、２つ以上の任意数だけ設けたカード差込口に対してそれぞれセンサ（検出手段）および駆動手段をそれぞれ設けるとともに、各センサの出力を単一の制御部３１に接続する構造とすることにより、２枚以上の任意数のメモリカードのうちの何れか１つのみを択一的に入出力端子に接続させることができる。この構造では、任意数の各差込口を互いに異なる差し込み方向に配設することができる。
【００２２】
【発明の効果】
以上説明したように、本発明のうち請求項１に記載の発明は、複数のメモリカードのうち、何れか１つを対応する差込口に所定位置まで差し込むと、この差込口内の入出力端子にそのメモリカードの接続端子が接触して互いに接続すると同時に他の差込口に差し込まれているメモリカードの接続端子をその差込口内の入出力端子に対し非接触状態に離間させることができるので、複数の差込口に各種メモリカードが差し込まれていて判別し難い場合でも、必要な単一のメモリカードのみを選択的に使用可能とすることができるから、メモリカードに記録された情報をプリンタで印刷する際の利便性が高められる効果がある。また、請求項２に記載の発明は、作動機構部を、ケース本体に中央部が回動自在に支持された挺子部材の両端部を一対のカード保持部材における各々の差込口の外方側の先端部にそれぞれ回動自在に連結するだけの簡単な構成としながらも、一対の差込口にそれぞれ差し込まれたメモリカードの何れか一方のみを択一的に入出力端子に確実に接触させることができる。また、請求項３に記載の発明は、各差込口に、これの所定位置まで差し入れられたメモリカードを個々に検出して検出信号を出力する検出手段をそれぞれ設けており、何れか１つの検出手段から検出信号を受けた制御部が、検出信号に関係しない他のカード保持部材の全てをメモリカードの接続端子が入出力端子に対し非接触となる位置まで移動させるので、２つ以上の任意の差込口を設けて、その何れか１つの差込口に差し入れられているメモリカードを所定位置まで差し込むことにより、他の差込口の全てのメモリカードをこれの接続端子が入出力端子に対し非接触状態とすることができる。この構成の場合は、複数の差込口を互いに任意の差し込み方向に配置することが可能となる。さらに、請求項４に記載の発明は、各差込口に差し入れられたメモリカードを接続端子が入出力端子に対し非接触の位置に一時的に保持しておくことができるので、これら差込口に保持されている各メモリカードのうちの所望の１つを即座に所定位置まで差し込むことができる。
【図面の簡単な説明】
【図１】本発明の実施の形態に係るプリンタの外観を示す斜視図である。
【図２】メモリカードの挿脱装置を一部断面で示す概要構成図である。
【図３】各種メモリカードの裏面図である。
【図４】各種差込口の底面図である。
【図５】他の実施の形態に係るメモリカードの挿脱装置を示す概要構成図である。
【符号の説明】
２  プリンタ本体（ケース本体）
３  差込口
３ｂ  底部
３ｃ  入出力端子
４  差込口
４ｂ  底部
４ｃ  入出力端子
８  メモリカード
８ｃ  接続端子（端子）
９  メモリカード
９ｃ  接続端子（端子）
１１  カード保持部材
１１ａ  上端部（支持部）
１２  カード保持部材
１２ａ  上端部（支持部）
１３  挺子部材
２３  センサ（検出手段）
２４  センサ（検出手段）
２５  駆動手段
２６  駆動手段
３１  制御部
【図１】
0004491901.tif 000002
【図２】
0004491901.tif 000003
【図３】
0004491901.tif 000004
【図４】
0004491901.tif 000005
【図５】
0004491901.tif 000006